(57)【要約】【課題】熱交換器のフィンの切り起こし部および当該フィンの縁における干渉騒音の発生をそれぞれ抑えることが可能な室内機を提供する。【解決手段】室内機３１は、複数の後ろ向き羽根を有する遠心ファン６１と、遠心ファン６１から吹き出した気流Ｆ１が通過する位置に配置された熱交換器４３とを備えている。熱交換器４３は、遠心ファン６１の回転軸１３の延びる方向に直交する方向に互いに離間して並んで配置された複数のフィン４３ａを有している。フィン４３ａは、当該フィン４３ａの本体部分５１から切り起こされた突出する切り起こし部５２、５３を有している。フィン４３ａにおける遠心ファン６１側の端部５４は、遠心ファン６１の回転方向Ｅの下流側へ傾斜する。切り起こし部５２、５３は、本体部分５１の表面５１ａから端部５４が傾斜する側へ突出している。【選択図】図６
2015121379.tif 000002
【特許請求の範囲】
【請求項１】
複数の後ろ向き羽根を有する遠心ファン（６１）と、
前記遠心ファン（６１）から吹き出した気流（Ｆ１）が通過する位置に配置された熱交換器（４３）と
を備え、
前記熱交換器（４３）は、前記遠心ファン（６１）の回転軸（１３）の延びる方向に直交する方向に互いに離間して並んで配置された複数のフィン（４３ａ）を有しており、
前記複数のフィン（４３ａ）のそれぞれは、本体部分（４３ａ）と、当該本体部分（５１）から切り起こされた切り起こし部（５２、５３）を有しており、
少なくとも１枚の前記フィン（４３ａ）の前記本体部分（５１）における遠心ファン（６１）側の端部（５４）は、前記遠心ファン（６１）の回転方向（Ｅ）の下流側へ傾斜し、
前記切り起こし部（５２、５３）は、前記本体部分（５１）の表面（５１ａ）から前記端部（５４）が傾斜する側へ突出している、
室内機（３１）。
【請求項２】
前記熱交換器（４３）のうち遠心ファン（６１）に最も近い位置およびその下流側の範囲において、前記フィン（４３ａ）の前記端部（５４）が、前記遠心ファン（６１）の回転方向（Ｅ）の下流側へ傾斜している、
請求項１に記載の室内機（３１）。
【請求項３】
前記フィン（４３ａ）の本体部分（５１）の表面（５１ａ）から前記フィン（４３ａ）の前記端部（５４）の先端までの高さ（Ｈ１）は、前記切り起こし部（５２、５３）の高さ（Ｈ２、Ｈ３）よりも高くなるように設定されている、
請求項１または２に記載の室内機（３１）。
【請求項４】
複数列の前記熱交換器（４３、６３）が前記遠心ファン（６１）から遠ざかる方向に沿って並んで配置され、
前記遠心ファン（６１）に近い１列目の熱交換器（４３）のみの前記フィン（４３ａ）の端部（５４）が傾斜している、
請求項１から３のうちのいずれか１項に記載の室内機（３１）。
【発明の詳細な説明】
【技術分野】
【０００１】
本発明は、空気調和機の室内機に関するものである。
【背景技術】
【０００２】
従来、空気調和機の室内機として、ターボファンなどの遠心ファンと、そのターボファンを取り囲むように配置された熱交換器とを備えた天井設置型の室内機が知られている。ターボファンなどの遠心ファンは、その回転中心の周囲に円周状に配置された複数枚の後ろ向き羽根を有する。後ろ向き羽根は、遠心ファンの回転中心に近い内側端部よりも当該内側端部と反対側の外側端部の方が当該遠心ファンの回転方向について後方に位置する羽根である。熱交換器は、互いに離間して配置された複数のフィンと、フィン間を貫通する配管とを有している。
【０００３】
遠心ファンから吹き出した気流は、熱交換器のフィンの間を通過し、そのときに、フィンを介して、配管内を流れる冷媒との間で熱交換が行われる。このとき、フィンの間を流れる気流のうち、フィンの表面付近では、境界層が発生する。この境界層が発生することによって、フィンの間の中央付近を流れる気流とフィンとの間の熱伝達が円滑に行うことができないおそれがある。
【０００４】
そこで、特許文献１記載の室内機のように、熱交換器のフィン周りの空気に境界層ができないように、フィンには切り起こし部が形成されている。フィンの表面に沿って流れる気流は切り起こし部に当たることによって乱流となり、境界層が発生しにくくなるので、フィン間を流れる気流とフィンとの間の熱伝達を良好にすることが可能である。
【先行技術文献】
【特許文献】
【０００５】
【特許文献１】特開２０１０−２４９３３４号公報
【発明の概要】
【発明が解決しようとする課題】
【０００６】
しかし、上記のように熱交換器のフィンに切り起こし部が形成されている場合、遠心ファンから吹き出した気流がフィンの間を流れるときに、気流のうち流速の最も速い部分の流れ（主流）がフィンの切り起こし部に当たるおそれがあり、それによって、切り起こし部において干渉騒音が発生するおそれがある。
【０００７】
また、遠心ファンを取り囲む熱交換器の内側（すなわち、遠心ファンを向く側）においては、遠心ファンから吹き出した気流が熱交換器のフィンの縁に対して当該フィンの並ぶ方向と平行またはそれに近い角度で当たることによって、当該気流がフィンの縁と干渉して、干渉騒音が発生するおそれがある。
【０００８】
本発明は、上記のような事情に鑑みてなされたものであり、熱交換器のフィンの切り起こし部および当該フィンの縁における干渉騒音の発生をそれぞれ抑えることが可能な室内機を提供することを目的とする。
【課題を解決するための手段】
【０００９】
本発明の室内機（３１）は、複数の後ろ向き羽根を有する遠心ファン（６１）と、前記遠心ファン（６１）から吹き出した気流（Ｆ１）が通過する位置に配置された熱交換器（４３）とを備え、前記熱交換器（４３）は、前記遠心ファン（６１）の回転軸（１３）の延びる方向に直交する方向に互いに離間して並んで配置された複数のフィン（４３ａ）を有しており、前記複数のフィン（４３ａ）のそれぞれは、本体部分（４３ａ）と、当該本体部分（５１）から切り起こされた切り起こし部（５２、５３）を有しており、少なくとも１枚の前記フィン（４３ａ）の前記本体部分（５１）における遠心ファン（６１）側の端部（５４）は、前記遠心ファン（６１）の回転方向（Ｅ）の下流側へ傾斜し、前記切り起こし部（５２、５３）は、前記本体部分（５１）の表面（５１ａ）から前記端部（５４）が傾斜する側へ突出していることを特徴とする。
【００１０】
上記の構成では、遠心ファン（６１）から吹き出した気流（Ｆ１）がフィン（４３ａ）間を通過するときに、気流（Ｆ１）のうち流速の最も速い部分の流れ（すなわち、主流（Ｆ１０））は、フィン（４３ａ）の本体部分（５１）の傾斜した端部（５４）によって、切り起こし部（５２、５３）が突出している本体部分（５１）の表面（５１ａ）から離れた位置を流れるように案内される。それによって、当該主流（Ｆ１０）が本体部分（５１）に沿って流れて切り起こし部（５２、５３）に当たることを回避することが可能である。その結果、フィン（４３ａ）の切り起こし部（５２、５３）における干渉騒音の発生も抑えることが可能である。
【００１１】
しかも、少なくとも１枚のフィン（４３ａ）の本体部分（５１）における遠心ファン（６１）側の端部（５４）は、遠心ファン（６１）の回転方向（Ｅ）の下流側（ファン後流の背く向き）へ傾斜しているので、フィン（４３ａ）の端部（５４）によって気流（Ｆ１）の流速を低減させることにより、当該フィン（４３ａ）と遠心ファン（６１）から吹き出す気流（Ｆ１）との干渉を弱めることができる。その結果、遠心ファン（６１）から吹き出した気流（Ｆ１）と熱交換器（４３）のフィン（４３ａ）との間の干渉によって生じる騒音を低減することが可能なる。
【００１２】
また、前記熱交換器（４３）のうち遠心ファン（６１）に最も近い位置およびその下流側の範囲において、前記フィン（４３ａ）の端部（５４）が、前記遠心ファン（６１）の回転方向の下流側へ傾斜しているのが好ましい。
【００１３】
かかる構成では、熱交換器（４３）において、遠心ファン（６１）に最も近い位置およびその下流側の範囲では、気流（Ｆ１）の流速が速くなるので、気流（Ｆ１）とフィン（４３ａ）との干渉による騒音の発生が最も発生しやすいので、その範囲のフィン（４３ａ）の端部（５４）が、遠心ファン（６１）の回転方向（Ｅ）の下流側へ傾斜しているので、気流（Ｆ１）とフィン（４３ａ）との干渉による騒音を効果的に低減することが可能である。しかも、フィン（４３ａ）の端部（５４）を傾斜する箇所を限定することによって、その他の箇所において傾斜したフィン（４３ａ）の端部（５４）に起因するフィン（４３ａ）間の気流（Ｆ１）の流速の低下を抑えることが可能になり、その結果、熱交換能力の低下を抑えることが可能である。
【００１４】
さらに、前記フィン（４３ａ）の本体部分（５１）の表面（５１ａ）から前記フィン（４３ａ）の前記端部（５４）の先端までの高さ（Ｈ１）は、前記切り起こし部（５２、５３）の高さ（Ｈ２、Ｈ３）よりも高くなるように設定されているのが好ましい。
【００１５】
この構成によれば、フィン（４３ａ）の本体部分（５１）の傾斜した端部（５４）によって、気流（Ｆ１）の主流（Ｆ１０）を、切り起こし部（５２、５３）に当たらないようにより確実に案内することが可能である。
【００１６】
さらに、複数列の前記熱交換器（４３、６３）が前記遠心ファン（６１）から遠ざかる方向に沿って並んで配置され、前記遠心ファン（６１）に近い１列目の熱交換器（４３）のみの前記フィン（４３ａ）の端部（５４）が傾斜しているのが好ましい。
【００１７】
ここでは、複数列の熱交換器（４３、６３）を備えた構成において、遠心ファン（６１）に近い１列目の熱交換器（４３）のみの前記フィン（４３ａ）の端部（５４）が傾斜しているので、当該フィン（４３ａ）と遠心ファン（６１）から吹き出す気流（Ｆ１）との干渉を弱めることができ、気流（Ｆ１）と熱交換器（４３）のフィン（４３ａ）との間の干渉によって生じる騒音を低減することが可能なる。
【００１８】
しかも、２列目以降の熱交換器（６３）のフィン（６３ａ）の先端（７４）は傾斜しないようにすることにより、熱交換器（６３）のフィン（６３ａ）の先端（７４）を傾斜させることによる熱交換能力の低減を抑制することが可能である。しかも、上記の１列目の熱交換器（４３）のフィン（４３ａ）の端部（５４）が傾斜していることによってフィン（４３ａ）の間を気流（Ｆ１）が通過する際に気流（Ｆ１）の流速が低下するので、その気流（Ｆ１）が上記の２列目以降の熱交換器（６３）のフィン（６３ａ）の間に通過するときには気流（Ｆ１）とフィン（６３ａ）との干渉が大幅に小さくなり、干渉による騒音の発生をさらに低減することが可能である。
【発明の効果】
【００１９】
以上のように、本発明の室内機によれば、熱交換器のフィンの切り起こし部および当該フィンの縁における干渉騒音の発生をそれぞれ抑えることができる。
【図面の簡単な説明】
【００２０】
【図１】本発明の実施形態にかかる空気調和機の室内機の内部を示す縦断面図である。
【図２】図１の羽根車およびその周辺部を下方から見た図である。
【図３】図１の熱交換器の部分拡大斜視図である。
【図４】図３のフィンを配管が貫通する方向から見た図である。
【図５】図４のフィンを気流Ｆ１の上流側から見た図である。
【図６】図４のフィンのＶＩ―ＶＩ線断面図であって、フィン間を気流Ｆ１が流れる状態を示す図である。
【図７】図４のフィンのＶＩＩ―ＶＩＩ線断面図であって、フィン間を気流Ｆ１が流れる状態を示す図である。
【図８】気流が熱交換器のフィンに当たる状態を示す説明図である。
【図９】フィンの前縁の曲げ方向を気流の方向に対して反対方向にした場合と同じ方向にした場合において熱交換器のフィンの前縁による干渉騒音の大きさを比較したグラフである。
【図１０】本発明の他の実施形態に係る複数列の熱交換器を備えた室内機における熱交換器の配置を示す拡大図である。
【発明を実施するための形態】
【００２１】
以下、本発明の実施形態にかかる空気調和機の室内機について図面を参照しながら詳細に説明する。
【００２２】
図１に示される室内機３１は、天井埋込型のカセット室内機である。この室内機３１は、天井Ｃに設けられた開口に埋め込まれる略直方体の筐体３３と、筐体３３の下部に取り付けられた化粧パネル４７とを備えている。化粧パネル４７は、平面視の形状が筐体３３よりも一回り大きく、天井Ｃの開口を覆った状態で室内に露出している。化粧パネル４７は、その中央部に設けられた矩形状の吸込グリル３９と、この吸込グリル３９の各辺に沿って設けられた細長い矩形状の４つの吹出口３７とを有している。
【００２３】
室内機３１は、羽根車２３を備えた遠心ファン６１と、羽根車２３を回転駆動するファンモータ１１と、羽根車２３の外側を取り囲む熱交換器４３と、ドレンパン４５と、エアフィルタ４１とを備えている。
【００２４】
遠心ファン６１は、ターボファンであり、羽根車２３とベルマウス２５とを含む。
【００２５】
図１〜２に示されるように、羽根車２３は、ハブ１５と、シュラウド１９と、複数の羽根２１とを含む。ハブ１５は、筐体３３の天板に固定されたファンモータ１１の回転軸１３に固定されている。
【００２６】
シュラウド１９は、ハブ１５に対して回転軸１３の軸方向Ａの前側Ｆに対向配置されている。シュラウド１９は、回転軸１３を中心として円形に開口する空気吸込口１９ａを有している。シュラウド１９の外径は、後側Ｒに向かうにつれて大きくなっている。
【００２７】
複数の羽根２１は、ハブ１５とシュラウド１９との間に空気吸込口１９ａの周方向に沿って所定の間隔をあけて配列されている。各羽根２１の前側Ｆの端部はシュラウド１９の内面に接合されている。各羽根２１の後側Ｒの端部はハブ１５に接合されている。各羽根２１は、ハブ１５の半径方向に対して回転方向Ｂ（図２参照）の反対向き（後ろ向き）に傾斜した後ろ向き羽根である。
【００２８】
ベルマウス２５は、シュラウド１９に対して軸方向Ａの前側Ｆに対向配置されている。ベルマウス２５は、その外径が後側Ｒに向かうにつれて小さくなる湾曲形状を有している。
【００２９】
図１〜２に示すように、熱交換器４３は、厚みの小さな扁平な形状を有しており、遠心ファン６１から吹き出した気流Ｆ０が通過する位置において、気流Ｆ０の流れ方向に沿って並んで配置されている。具体的には、熱交換器４３は、その下端部に沿って延設された皿状のドレンパン４５から上方に起立した状態で羽根車２３の周囲を囲むように、遠心ファン６１の羽根車２３の半径方向に配置されている。いいかえれば、熱交換器４３は、遠心ファン６１から吹き出した気流Ｆ０が通過する位置に配置される。
【００３０】
熱交換器４３は、具体的には、図３に示されるように、互いに離間して配置された複数のフィン４３ａと、当該フィン４３ａを貫通する複数の配管４３ｂとを備えている。複数の配管４３ｂは、互いに平行になるように配置され、それぞれの端部同士はＵ字管などを介して互いに接続されている。フィン４３ａは、互いに隙間４３ｃをあけた状態で各配管４３ｂに対してロウ付けなどによって接合されている。熱交換器４３では、配管４３ｂ内部を通る冷媒とフィン４３ａの周囲の空気との間で熱交換される。
【００３１】
図３に示されるように、熱交換器４３のフィン４３ａは、遠心ファン６１の羽根車２３の回転軸１３が延びる方向（図３の紙面垂直方向）に直交する方向であって、当該羽根車２３から吹き出した気流Ｆ１が当該熱交換器４３の内部を通過する流れ方向に直交する方向Ｘに互いにピッチＳの間隔で離間して並んで配置されている。
【００３２】
図４〜７に示されるように、フィン４３ａは、本体部分５１と、当該本体部分５１の表面から突出する２種類の切り起こし部５２、５３とを有している。切り起こし部５２、５３は、フィン４３ａの本体部分５１から切り起こされることにより形成される。
【００３３】
熱交換器４３における全てのフィン４３ａの本体部分５１の遠心ファン６１の羽根車２３側の端部５４は、遠心ファン６１の回転方向Ｅ（図３および図６〜７参照）の下流側へ傾斜し、いいかえれば、遠心ファン６１の羽根車２３から当該遠心ファン６１の外周の接線方向へ吹き出した気流Ｆ１（具体的には、フィン４３ａ間に入る直前における気流Ｆ１３（図６〜７参照））の下流側、すなわち、ファン後流の背く向きへ傾斜している。これにより、遠心ファン６１から吹き出した気流Ｆ１がフィン４３ａ間を通過するときに、気流Ｆ１のうち流速の最も速い部分の流れである主流Ｆ１０は、フィン４３ａの本体部分５１の傾斜した端部５４によって、切り起こし部５２、５３が突出している本体部分５１の表面５１ａから離れた位置を流れるように案内される。
【００３４】
また、フィン４３ａの本体部分５１の表面５１ａからフィン４３ａの傾斜した端部５４の先端までの高さＨ１は、図６に示される切り起こし部５２の高さＨ２、および図７に示される切り起こし部５３の高さＨ３よりも高く設定されている。
【００３５】
切り起こし部５２、５３は、それぞれ、遠心ファン６１の羽根車２３から当該遠心ファン（６１）の外周の接線方向へ吹き出した気流Ｆ１の下流側、すなわち、本体部分５１の表面５１ａから端部５４が傾斜する側へ突出している。
【００３６】
切り起こし部５２は、具体的には、図４に示されるように、フィン４３ａの本体部分５１を貫通する配管４３ｂの周囲を取り囲むように、フィン４３ａの間を通過する気流Ｆ１の上流側において左右両側と、下流側の左右両側にそれぞれ配置されている。切り起こし部５２は、図４〜６に示されるように、本体部分５１から離間して当該本体部分５１と平行に延びる平板部分５２ａと、平板部分５２ａと本体部分５１と連結する一対の連結部分５２ｂとを有する。一対の連結部分５２ｂは、気流Ｆ１（とくに、その主流Ｆ１０）の流れる方向と直交する方向に離間して配置されている。平板部分５２ａおよび一対の連結部分５２ｂによって、気流Ｆ１の流れる方向に延びる空気流通路５２ｃが形成される。また、本体部分５１の切り起こし部５２に対向する位置には、切り起こし部５２の切り起こしによって生じた開口５１ａが形成されている。開口５１ａは、切り起こし部５２の空気流通路５２ｃに連通している。図６に示されるように、フィン４３ａ間を流れる気流Ｆ１の主流Ｆ１０から分岐した分岐流Ｆ１１は、フィン４３ａの本体部分５１に沿って流れ、切り起こし部５２によって形成された空気流通路５２ｃおよび開口５１ａを通ることによって蛇行して流れの方向が乱される。これにより、フィン４３ａの本体部分５１の表面において気流Ｆ１の分岐流Ｆ１１とフィン４３ａとの熱伝達を阻害する境界層の発生を回避する。
【００３７】
切り起こし部５３は、図４に示されるように、本体部分５１を貫通する配管４３ｂの間にそれぞれ配置されている。切り起こし部５３は、図４〜５および図７に示されるように、本体部分５１から気流Ｆ１の上流側へ向かうにつれて本体部分５１から離れる方向へ斜めに傾斜する板状の部分である。本体部分５１は切り起こし部５３に対向する位置には、切り起こし部５３の切り起こしによって生じた開口５１ｂが形成されている。図７に示されるように、フィン４３ａ間を流れる気流Ｆ１の主流Ｆ１０から分岐した分岐流Ｆ１２は、フィン４３ａの本体部分５１に沿って流れ、切り起こし部５３に案内されて本体部分５１の開口５１ｂを通ることによって蛇行して流れの方向が乱される。これにより、フィン４３ａの本体部分５１の表面において気流Ｆ１の分岐流Ｆ１２とフィン４３ａとの熱伝達を阻害する境界層の発生を回避する。
【００３８】
室内機３１のその他の構成は、従来の天井埋込型のカセット室内機の構成と同じである。具体的には、図１に示されるように、ドレンパン４５は、熱交換器４３において生じる水滴を収容する。収容された水は図略の排水経路を通じて排出される。エアフィルタ４１は、ベルマウス２５の入口を覆う大きさを有し、ベルマウス２５と吸込グリル３９との間に吸込グリル３９に沿って設けられている。エアフィルタ４１は、吸込グリル３９から筐体３３内に吸い込まれた空気に含まれる塵埃を捕捉する。
【００３９】
上記のように構成された室内機３１では、ファンモータ１１の駆動によって遠心ファン６１の羽根車２３が回転することにより、室内機３１の内部において、図１に示される気流Ｆ０を発生させることが可能である。すなわち、吸込グリル３９から吸い込まれた室内空気は、遠心ファン６１のベルマウス２５の内部を通って羽根車２３へ向かう。羽根車２３に到達した空気は、羽根車２３の半径方向外側へ吹き出し、羽根車２３の外側に配置された熱交換器４３を順に通過する際に冷媒と熱交換することにより、冷却または加熱される。その後、熱交換された空気は、吹出口３７を通して室内へ供給される。
【００４０】
以上のように、本実施形態の室内機３１では、フィン４３ａの本体部分５１における遠心ファン６１側の端部５４は、遠心ファン６１の回転方向の下流側へ傾斜している。しかも、切り起こし部５２、５３は、当該本体部分５１の表面５１ａから端部５４が傾斜する側へ突出している。このような構成によって、遠心ファン６１から吹き出した気流Ｆ１がフィン４３ａ間を通過するときに、気流Ｆ１の主流Ｆ１０は、フィン４３ａの本体部分５１の傾斜した端部５４によって、切り起こし部５２、５３が突出している本体部分５１の表面５１ａから離れた位置を流れるように案内される。それによって、当該主流Ｆ１０が本体部分５１に沿って流れて切り起こし部５２、５３に当たることを回避することが可能である。その結果、フィン４３ａの切り起こし部５２、５３における干渉騒音の発生も抑えることが可能である。
【００４１】
しかも、少なくとも１枚のフィン４３ａの遠心ファン側の端部５４は、遠心ファン６１の回転方向Ｅの下流側（すなわち、ファン後流の背く向き）へ傾斜しているので、フィン４３ａ間を通る気流Ｆ１の流速を低減させることにより、当該フィン４３ａと遠心ファンから吹き出す気流Ｆ１との干渉を弱めることができる。その結果、遠心ファン６１から吹き出した気流Ｆ１と熱交換器のフィン４３ａとの間の干渉によって生じる騒音を低減することが可能なる。
【００４２】
また、本実施形態の室内機３１では、フィン４３ａの本体部分５１の表面５１ａからフィン４３ａの傾斜した端部５４の先端までの高さＨ１は、切り起こし部５２、５３の高さＨ２、Ｈ３よりも高くなるように設定されている。そのため、フィン４３ａの本体部分５１の傾斜した端部５４によって、気流Ｆ１の主流Ｆ１０を、切り起こし部５２、５３に当たらないようにより確実に案内することが可能である。
【００４３】
ここで、図８に示されるように、本実施形態に対応するモデルとして、熱交換器４３の内側の部位４３ｄにおいて遠心ファン６１から出た気流Ｖ１がフィン４３ａの縁に対して角度（仰角）α度で当たる場合、フィン４３ａの端部５４が、気流Ｖ１の下流側に傾斜しているモデルを考える。一方、比較例のモデルとして、上記の熱交換器４３に対して、気流Ｖ２がフィン４３ａの縁に対して、上記の気流Ｖ１とは対向する方向から角度（仰角）α度で当たるモデルを考える。
【００４４】
これら２つのモデルにおいて、各気流Ｖ１、Ｖ２と熱交換器４３のフィン４３ａの端部５４とで発生する干渉騒音の大きさを比較した結果が図９のグラフによって示される。図９のグラフは、干渉騒音の周波数γ（Ｈｚ）ごとの騒音の大きさβ（ｄＢＡ）を示すグラフであり、曲線Ｉは本実施形態に対応するモデル（図８の気流Ｖ１を用いたモデル）の実験結果、曲線ＩＩは比較例に対応するモデル（図８の気流Ｖ２を用いたモデル）の実験結果をそれぞれ示す。
【００４５】
図９のグラフでは、曲線Ｉは曲線ＩＩよりも全体的に騒音の大きさβが低く、かつ、曲線ＩＩのように騒音の大きさβが急激に上昇するピークも生じないことが実験により解明されている。このような実験結果から、フィンと気流との干渉騒音を低減するためには、フィン４３ａの遠心ファン側の端部５４は、遠心ファン６１から吹き出す気流Ｆ１の下流側（すなわち、ファン後流の背く向き）へ傾斜しているのが好ましいことがわかる。
【００４６】
（変形例）
なお、上記実施形態では、熱交換器４３における全てのフィン４３ａの遠心ファン６１の羽根車２３側の端部５４が気流Ｆ１の下流側へ傾斜しているが、本発明はこれに限定されるものではなく、フィン４３ａの少なくとも１枚のフィン４３ａの遠心ファン６１の羽根車２３側の端部５４が気流Ｆ１の下流側へ傾斜していればよい。
【００４７】
例えば、図３に示される熱交換器４３のうち遠心ファン６１の羽根車２３に最も近い位置Ｐ１およびその下流側の範囲Ｐ２において、フィン４３ａの端部５４が、遠心ファン６１の回転方向の下流側（すなわち、遠心ファン６１の羽根車２３から吹き出す気流Ｆ１の下流側）へ傾斜するようにしてもよい。
【００４８】
その場合、熱交換器４３において遠心ファン６１に最も近い位置およびその下流側の範囲では、気流の流速が速くなるので、気流Ｆ１とフィン４３ａとの干渉による騒音の発生が発生しやすいので、その範囲のフィン４３ａの端部５４が、遠心ファン６１の回転方向の下流側（当該遠心ファン６１から吹き出す気流Ｆ１の下流側）へ傾斜しているので、気流とフィン４３ａとの干渉による騒音を効果的に低減することが可能である。しかも、フィン４３ａの端部５４を傾斜する箇所を限定することによって、その他の箇所において傾斜したフィン４３ａの端部５４に起因するフィン４３ａ間の気流Ｆ１の流速の低下を抑えることが可能になり、その結果、熱交換能力の低下を抑えることが可能である。
【００４９】
さらに、本発明の他の変形例として、熱交換器４３において遠心ファン６１に最も近い位置におけるフィン４３ａの端部５４のみを、遠心ファン６１の回転方向の下流側（当該遠心ファン６１から吹き出す気流Ｆ１の下流側）へ傾斜し、その他の位置のフィン４３ａの端部５４を傾斜しないようにしてもよい。
【００５０】
また、上記実施形態では、１列の熱交換器４３を備えた室内機を例にあげて説明したが、本発明はこれに限定されるものではなく、本発明を複数列の熱交換器を備えた室内機にも適用することが可能である。
【００５１】
例えば、本発明のさらに他の変形例として、図１０に示されるように、複数列の熱交換器、すなわち、第1熱交換器４３および第２熱交換器６３が遠心ファン６１から遠ざかる方向に沿って（すなわち、遠心ファン６１の羽根車２３から吹き出した気流Ｆ１の流れ方向に沿って）並んで順に配置されている。
【００５２】
遠心ファン６１に近い１列目の第１熱交換器４３は、上記の１列の熱交換器４３（図３〜７参照）と同様の構成を有しており、フィン４３ａの端部５４が遠心ファン６１の回転方向Ｅの下流側（すなわち、当該遠心ファン６１から吹き出す気流Ｆ１の下流側）へ傾斜している。また、フィン４３ａは、本体部分５１と、当該本体部分５１から突出する切り起こし部５２とを有する。
【００５３】
一方、遠心ファン６１から遠い２列目の第２熱交換器６３は、互いに離間して配置された複数のフィン６３ａと、これらフィン６３ａを連結する配管６３ｂとを備えている点では、第１熱交換器４３の構成と共通している。また、フィン６３ａは、本体部分７１と、当該本体部分７１から突出する切り起こし部７２とを有する。しかし、フィン６３ａの先端７４は本体部分７１に対して傾斜しておらず、気流Ｆ１の流れる方向と平行に延びている。
【００５４】
このような図１０に示される室内機の構成では、複数列の熱交換器４３、６３を備え、遠心ファン６１に近い１列目の第１熱交換器４３のみのフィン４３ａの端部５４が傾斜しているので、当該フィン４３ａと遠心ファン６１から吹き出す気流Ｆ１との干渉を弱めることができ、気流Ｆ１と第１熱交換器４３のフィン４３ａとの間の干渉によって生じる騒音を低減することが可能なる。
【００５５】
しかも、２列目の第２熱交換器６３のフィン６３ａの先端７４は傾斜しないようにすることにより、第２熱交換器６３のフィン６３ａの先端７４を傾斜させることによる熱交換能力の低減を抑制することが可能である。しかも、上記の１列目の第１熱交換器４３のフィン４３ａの端部５４が傾斜していることによってフィン４３ａの間を気流Ｆ１が通過する際に気流Ｆ１の流速が低下するので、その気流Ｆ１が上記の２列目の第２熱交換器６３のフィン６３ａの間に通過するときには気流Ｆ１とフィン６３ａとの干渉が大幅に小さくなり、干渉による騒音の発生をさらに低減することが可能である。
【００５６】
なお、図１０に示される例では、２列の熱交換器４３、６３を備えた例が示されているが、本発明はこれに限定されるものではなく、３列以上の複数列の熱交換器の構成であってもよい。その場合も、第１列目の熱交換器のフィンの先端のみを傾斜させ、２列目以降の熱交換器のフィンの先端を傾斜させないようにすればよい。
【００５７】
なお、本発明では、切り起こし部の形状についてはとくに限定するものではなく、種々の形状を採用することが可能である。
【符号の説明】
【００５８】
２１  羽根
２３  羽根車
３１  室内機
４３  熱交換器
４３ａ  フィン
５１  本体部分
５２、５３  切り起こし部
５４  先端部
６１  遠心ファン
６３  第２熱交換器
６３ａ  フィン
Ｆ１  気流
【図１】
2015121379.tif 000003
【図２】
2015121379.tif 000004
【図３】
2015121379.tif 000005
【図４】
2015121379.tif 000006
【図５】
2015121379.tif 000007
【図６】
2015121379.tif 000008
【図７】
2015121379.tif 000009
【図８】
2015121379.tif 000010
【図１０】
2015121379.tif 000011
【図９】
2015121379.tif 000012